(57)【要約】【課題】足の裏の骨に直近な皮下組織を超えた部位に、白癬菌が重層的に蓄積した、最も深刻な水虫菌の感染患部を確実に破壊し十分な水虫治療薬を浸透させて届け、水虫を短期間に確実に素早く完治させる。【解決手段】本発明に係る水虫治療器具１は、柄２の先端に本体部３が取り付けられており、本体部３には一端部に押圧部５が形成されていると共に他端部に握り部６が形成され、押圧部５は多数の突起部７を備えていることを特徴とする。【選択図】図１
2016000070.tif 000002
【特許請求の範囲】
【請求項１】
柄の先端に本体部が取り付けられており、該本体部には一端部に押圧部が形成されていると共に他端部に握り部が形成され、該押圧部は多数の突起部を備えていることを特徴とする水虫治療器具。
【請求項２】
金属製でハンマー形状を有していることを特徴とする請求項１に記載の水虫治療器。
【請求項３】
前記突起部は角錐状に形成され、前記押圧部の外周部分の該突起部は外側に傾斜して形成されていることを特徴とする請求項１又は２に記載の水虫治療器具。
【請求項４】
前記押圧部は平面視で円形状を有し、前記握り部は半球形状を有し、前記本体部の中央部は周側面が凹状に湾曲して該押圧部及び該握り部より細い括れ形状を有していることを特徴とする請求項１〜３のいずれかの請求項に記載の水虫治療器具。
【発明の詳細な説明】
【技術分野】
【０００１】
本発明は、水虫を治療するために使用する水虫治療器具に関するものである。
【背景技術】
【０００２】
従来、足の裏や指の間や爪の間などの部位に白癬菌が感染することにより発症する水虫を治療するためにいろいろな水虫治療薬が開発されている。このような水虫治療薬は、水虫を発症した患部に直接塗布されたり、或いは、水虫治療薬を塗布した後にブラシなどでブラッシングして浸透を促したりするようになっている（例えば、特許文献１又は２を参照）。
【先行技術文献】
【特許文献】
【０００３】
【特許文献１】特開平６−１１６１５２号会報
【特許文献２】特開２００８―２３９６２６号公報
【発明の概要】
【発明が解決しようとする課題】
【０００４】
一般に、皮膚の構造は、表皮、真皮、皮下組織という分類に分けられる。現代の医学において、水虫の治療で対象となっているのは、表皮と真皮の水虫感染である。皮膚科の医師の治療内容や技術、製薬会社の水虫治療薬の有効成分の使用方法も、この表皮と真皮への水虫感染だけを対象として指導監督されている。しかし、水虫に感染した足の裏の皮膚全体の層を、微視的に拡大して細部を入念に分析し精査すると、水虫は、表皮と真皮を通り抜けて皮下組織までも菌を大量に繁殖させて感染し、菌糸は岩盤のように頑強な層となって幾重にも積み重なって堆積していることが判明した。
【０００５】
しかしながら、上記した従来の水虫の治療薬を使用する方法では、上記したような皮下組織まで及んだ水虫の感染を治療対象としていないため、この種の水虫を治療することはできなかった。
【０００６】
本発明は、上記した課題を解決すべくなされたものであり、足の裏の骨に直近な皮下組織を超えた部位に、白癬菌が重層的に蓄積した、最も深刻な水虫菌の感染患部を確実に破壊し十分な水虫治療薬を浸透させて届け、水虫を短期間に確実に素早く完治させることのできる水虫治療器具を提供することを目的とするものである。
【課題を解決するための手段】
【０００７】
上記した目的を達成するために、本発明に係る水虫治療器具は、柄の先端に本体部が取り付けられており、該本体部には一端部に押圧部が形成されていると共に他端部に握り部が形成され、該押圧部は多数の突起部を備えていることを特徴とする。
【０００８】
また、本発明に係る水虫治療器具は、金属製でハンマー形状を有しているのが好ましい。
【０００９】
また、本発明に係る水虫治療器具において、前記突起部は角錐状に形成され、前記押圧部の外周部分の該突起部は外側に傾斜して形成されているのが好ましい。
【００１０】
また、本発明に係る水虫治療器具において、前記押圧部は平面視で円形状を有し、前記握り部は半球形状を有し、前記本体部の中央部は周側面が凹状に湾曲して該押圧部及び該握り部より細い括れ形状を有しているのが好ましい。
【発明の効果】
【００１１】
本発明によれば、白癬菌が感染した部位が皮下組織の深層であろうとも、治療に十分な水虫治療薬を皮下組織に確実かつ素早く浸透させ、水虫を短期間に完治させることができる等、種々の優れた効果を得ることができる。
【図面の簡単な説明】
【００１２】
【図１】本発明の実施の形態に係る水虫治療器具を示す平面図である。
【図２】本発明の実施の形態に係る水虫治療器具を示す側面図である。
【図３】本発明の実施の形態に係る水虫治療器具を使用して足の裏の水虫を治療する方法を示す斜視図である。
【図４】本発明の実施の形態に係る水虫治療器具を使用して足の指の側面の水虫を治療する方法を示す斜視図である。
【発明を実施するための形態】
【００１３】
以下、図面を参照しつつ、本発明の実施の形態について詳細に説明する。
【００１４】
先ず、図１及び図２により、本実施の形態に係る水虫治療器具の構成について詳細に説明する。ここで、図１は本発明の実施の形態に係る水虫治療器具を示す平面図、図２は本発明の実施の形態に係る水虫治療器具を示す側面図である。
【００１５】
本発明の実施の形態に係る水虫治療器具１は、ハンマー形状を有しており、柄２の先端で柄２に直交する向きに本体部３が取り付けられている。水虫治療器具１は、総重量３００ｇ程度の金属製であることが好ましく、酸化を防止するためアルミニウム製であることがより好ましい。
【００１６】
柄２は、例えば、約２５ｃｍの長さを有し、握り易いように長辺が２ｃｍで短辺が１ｃｍ程度の楕円形状の断面を有するように加工されている。柄の基端部には滑り止め用の溝４が数本（図示では５本）刻設されている。
【００１７】
本体部３には、一端部に押圧部５が形成されていると共に他端部に握り部６が形成されている。押圧部５は、先端に向かって太径となるように形成され、平面視で円形状を有している。押圧部５の端面５ａは僅かに凸状に湾曲して形成され、この端面５ａに多数の突起部７が突設されている。各突起部７は角錐状に形成されており、押圧部５の外周部分の突起部７ａは外側に傾斜して形成されている。
【００１８】
具体的には、例えば、端面５ａは６ｃｍ程度の直径を有する円形状で、突起部７は一辺が約４ｍｍの四角錐形状を有している。また、突起部７ａは、端面５ａの外縁から約１ｃｍ幅の範囲の外周部分に配設されおり、端面５ａに対して約４５°の角度で外側に花弁状に傾斜して形成されている。
【００１９】
握り部６は半球形状を有し、その表面には、例えば２ｍｍ程度の半径を有する滑り止め用の微小突起８が多数形成されている。押圧部５及び握り部６を除く本体部３の中央部９は立方体の周側面を凹状に湾曲させた形状を成し、押圧部５及び握り部６より細い括れ形状を有している。
【００２０】
次に、主に図３を参照しつつ、上記した構成を備えた本発明の実施の形態に係る水虫治療器具１を使用して足１０の裏の水虫を治療する方法について説明する。
【００２１】
まず、入浴時に浴室において、湯船の縁等に腰を掛けて空中であぐらをかいた姿勢で、充分にふやかした治療する側の足１０の底面を上側に向ける。その足１０の裏の患部に水虫治療薬を塗布した後、左右の手で水虫治療器具１の柄２の基端部と握り部９とを持ち、患部に対して、突起部７を押し当て、腕力と上半身の体重を乗せて、水虫治療器具１を前後左右及び上下に擦り付けるようにスライドさせながら移動させてマッサージを行う。
【００２２】
これにより、多数の突起部７の先端に水虫治療薬の有効成分を付着させたまま、その先端が皮膚に深く食い込んでいくので、水虫治療薬の有効成分が、足１０の皮下組織の水虫感染層まで到達して皮膚の奥の患部まで確実かつ素早く浸透し、短期間に水虫を完治させることができる。
【００２３】
一般に、足の裏の皮膚の厚さは最大おおよそ５ｍｍと言われているが、本発明の実施の形態に係る水虫治療器具１によれば、ふやかした足の裏の皮膚に対して、高さ４ｍｍの突起部７の先端によって腕力と上半身の筋力と体重とを合算した圧力を加え、水虫治療薬の有効成分を押し沈めることができる。そのため、５ｍｍに近い４ｍｍ以上の深い位置まで突起部７の先端が到達し、まるで底引き網船の網に深海魚等を捕えるかのように、皮下組織の深層に潜む白癬菌を一掃することができる。
【００２４】
皮下組織にまで及んだ水虫の菌糸の蓄積状態は、岩盤層に等しいため、水虫菌は一度足の皮膚内に侵入すると、確実に増え続け皮膚の外へ出ることはない。また、初めて水虫に感染して、数十年経過した水虫感染者の足の裏の皮下組織は、歩行運動時、体重の数倍の圧力で常に加圧され加熱されるので、絶好な菌の繁殖条件にあり、鋼鉄の板のように高圧プレスされた水虫菌の菌糸の層を形成する。
【００２５】
仮に、このように皮下組織の患部をふやかせて直接水虫薬治療薬を塗布し、ゴム製やポリウレタン製の突起部の先端を患部に強く押し当ててマッサージしたとしても、突起部自体が変形して凹んでしまい、皮下組織の岩盤層を粉砕するために突起部の先端にすべて集中して伝えなければならない圧力が、変形や凹みによって分散され、激減されてしまう。したがって、この方法では、岩盤層のように厚く強固な水虫菌の蓄積した皮下組織を突き抜けて破壊させて水虫治療薬の有効成分を患部に届けることはできず、皮下組織の重症な水虫を完治することはできない。
【００２６】
これに対して、本発明の実施の形態に係る水虫治療器１は、金属製であるため、柄２や本体部３に非常に強い力を加えてマッサージしても、一切変形せず、波打つこともなく、突起部７の先端を最も深い足の骨の直近まで一瞬にして到達させることができる。したがって、突起部７の先端に水虫治療薬の有効成分を乗せたまま皮下組織を突き抜けて破壊させて水虫治療薬の有効成分を患部に届けることができ、皮下組織の重症な水虫を完治することができる。
【００２７】
さらにまた、半球形状を有する握り部６を、利き腕ではない方の手で上方向から押さえつけ、突起部７を患部に押し当てて、前後左右及び上下に強く押し当てたまま擦り付けるように把持して、スライドさせながら移動させてマッサージすると、握り部６が船の舵の役割を果たし、押圧部５を所望なあらゆる方向へ容易且つ確実に導いて患部に押し当てることができる。さらに、握り部６を上方から下方へ、腕の重さと腕の筋力に加え上半身の体重を乗せることで、非常に強い圧力で患部を押さえつけることができる。これによって、皮下組織まで、確実に、水虫治療薬の有効成分を乗せた突起部７の先端を到達させることができ、皮下組織に感染した岩盤層のような水虫菌の層を破砕することができる。
【００２８】
また、本発明の実施の形態に係る水虫治療器１では、押圧部５の外周部分の突起部７ａが外側に傾斜して形成されているため、水虫治療薬を塗布した足１０の患部に押圧部５の突起部７を押し当てて前後左右にマッサージする時に、例えば、彫刻刀を使って板を削る際に手前から押し出して先に刃を送り出す動作や畑を耕す際に大地に鍬を振りおろす動作と同じように、梃子の原理によって、小さい力で、瞬時に皮下組織へ突起部７ａの先端を皮下組織に食い込ませて到達させることができる。
【００２９】
また、柄２を利き腕で力強く把持し前後にスライドさせると、腕の筋肉と上半身の筋力とを合算した作用で、押圧部５で患部をマッサージすることができる。
【００３０】
この時、押圧部５の中央側の突起部７は、皮下組織の水虫に上方から下方へ垂直に働きかけるのに対して、花弁状に中央から四方へ均一に広がって傾斜している外周部分の突起部７ａは、斜め方向より皮下組織の水虫菌の層に前後左右から働きかけることができる。これにより、上方、縦横、斜め方向から皮下組織の重厚かつ強固な水虫菌の感染層に突起部７，７ａの先端を食い込ませて間隙をつくり、そこに水虫治療薬の有効成分を染み込ませることができ、皮下組織の水虫の治療に優れた効果を奏することができる。
【００３１】
また、本発明の実施の形態に係る水虫治療器１において、突起部７の先端はどんなに力強く水虫の患部に押しつけても、鋭利な刃物のような鋭さはないので、足の裏の皮膚に裂傷などの重大な傷病を引き起こす可能性はない。さらに、突起部７の先端は尖っており、大きな摩擦力を発生させることがないので、皮膚に強く押し当てながら前後左右に簡単にスライドさせて移動させることができる。
【００３２】
また、本発明の実施の形態に係る水虫治療器１の使用時、全腕力に上半身の全体重を上乗せして押圧部５を患部に押しつけることができるので、瞬時に足の裏の皮膚の表面と足の裏の骨との距離をゼロに近づけることができる。これにより皮下組織以下に内在するもっとも深淵の水虫感染層でさえ、プレスされ亀裂を起こし、粉砕され、水虫治療薬の有効成分を届けることができ、皮下組織の水虫の治療に絶大な効果を発揮することができる。
【００３３】
また、もしも仮に、多数の突起部７をプレート上に立設させたものを床面に置いて、その上に直立して、治療する側の足の裏を押しつける方式を用いたとすると、全体重を片足にかけて押しつけるので、最悪の場合、足の中足骨という中央部の長い５本の骨のいずれかを骨折する危険性を伴う。これに対して、本発明の実施の形態に係る水虫治療器１のように、入浴時に湯船の縁等に腰をかけ、空中であぐらをかく姿勢をとり、充分にふやかした治療する足の裏を上側に向け、押圧部５を上方から押しつけるように用いて水虫の治療を行う場合には、中足骨の骨折を未然に防止することができ、安全性を高めることができる。
【００３４】
また、本発明の実施の形態に係る水虫治療器１では、本体部３の金属の塊がカウンターウェイト現象を引き起こし、皮下組織の重症な水虫の治療に優れた効果を発揮する。ここで、カウンターウェイトとは、機関車の車輪の重りやエンジンのピストンシリンダーの重りのように、非常に強い力が加わった時に、周囲の力関係や運動量の均衡を保ち、所望な方向へエネルギーを伝達させるために釣り合いをとる重りのことである。
【００３５】
すなわち、上記したように、突起部７を多数有する重厚な金属の押圧部５を皮下組織の水虫の患部に押し当てる場合には、金属製の柄３と握り部６を左右の手で持って上半身の体重と左右両椀の筋力とを合算した力で押し当てるので、カウンターウェイト現象を引き起こし、患部の皮下組織に対して瞬時に大きな力が加わり、皮下組織の水虫さえも完治させることができる。
【００３６】
さらにまた、本発明の実施の形態に係る水虫治療器１は、本体部２も柄３も金属製であるため、消毒し易く、衛生的であり、何回も使い回しが可能であり、経済的である。
【００３７】
また、本発明の実施の形態に係る水虫治療器１は、入浴時に十分に足の裏の皮膚をふやかして水虫治療薬を患部に塗布した後、患部に押し当てて使用するが、水虫菌の影響で角質した角質増殖型水虫の皮膚に突起部７を強く押し当てることを繰り返すと、角質した固い皮膚でさえも、ついにはパックリと大きく傷口を開き、皮下に溜まっていた水虫菌の代謝物を皮膚の外へ流出させ、皮膚を薄くさせることができ、水虫の治療改善に大きく役立つ。
【００３８】
このように突起部７は、著しい苦痛を伴う鋭利な切り傷を角質した固い皮膚に生じさせることなく、まるで落下する雨水が岩に穴を開けるかのように、水虫治療薬の有効成分を乗せて角質化した皮膚の極薄い表面に徐々に食い込み、超高密度の水虫菌の蓄積がある角質化した皮膚でさえも確実に亀裂を生じさせて染み込ませ、部分的に微細な治療改善を起こさせることができる。
【００３９】
また、足の裏の皮膚の水虫感染度は、すべての皮膚面において均一ではなく、大地を蹴りあげる部分の皮膚は、特に水虫菌の蓄積密度が高い。反対に土踏まずなどの皮膚は、そこに掛かる圧力が小さいので、仮に、水虫菌が侵入しても重症化はしない。足の裏の皮膚の構造は、親指の第一中足骨の頭の部分と小指の第五中足骨の頭の部分が球体で、それを取り巻く皮下組織もゴムボール状になって、さらに左右に飛び出ている。その部分の皮膚は、歩行運動時に重大な圧力が掛かり続けるので、従来の方法では、そこの水虫は角質増殖化し、重症化するため、治療し辛い。
【００４０】
しかしながら、本発明の実施の形態に係る水虫治療器１によれば、突起部７を下方に押し当てながら、柄２を大きく押し沈めて機械のレバーを下に降ろすようにして使用し、それぞれの中足骨の頭の球体の表面を、突起部７で滑らせるようにすると、突起部７が頭のボールの表面の上部を押すとほぼ同時に滑りおりると共に、ボールに圧力を掛けながら一定の圧力を保ち、さらに側面も押すので、絶大な治療効果を奏することができる。
【００４１】
また、本来、健康な皮膚は、厚さがどこも同じ厚みで構成されている。しかし、水虫菌に冒されている皮膚は、デコボコして一部は皮下に溜まった水虫菌の代謝物の液体の滞留水の影響で盛り上がり、一部は水虫菌が高密度に蓄積した影響で、角質化し乾燥して隆起している。そして、これらの異常は、肉眼やただ触っただけでは分かり辛い規模及び状況でも発生する。
【００４２】
しかし、本発明の実施の形態に係る水虫治療器１の突起部７の先端で皮膚の表面を数百回も治療の度ごとにマッサージしながら押すと、まるでトラクターが荒れた大地を耕すか、或いは、皮がなめされるかのように、今まで分らなかった部分の皮膚に水虫の感染を認められ、水虫菌の代謝物の液体の滞留水も四方八方に拡散され、部分的に角質化して隆起したデコボコした皮膚も、なだらかなやわらかい平らな弾力性、柔軟性が高い皮膚に変わり、健康な厚みがどこも同じ皮膚の状態に非常に近くなる。皮膚の厚みと皮膚内のタンパク質密度、体液濃度が均一になると、治療の毎に、足の裏の皮膚をふやかして塗布した水虫治療薬の有効成分が周囲へスムーズに伝播し、水虫の治療の能率が非常に上がり効果的になる。
【００４３】
また、本発明の実施の形態に係る水虫治療器１では、本体部３の中央部９が細い括れ形状を有しているため、図４に示すように、足１０の指の側面の皮膚に発症した水虫を治療する時にも有用である。仮に、本体部３の中央部９が括れておらず、立方体形状を有している場合、指の側面の皮膚に発症した水虫の患部に対して突起部７を押し当てようとすると、本体部３が隣り合う指に当たって不必要な過度の摩擦を起こすため、突出体７をうまく指の患部に押し当てて自由自在にマッサージを行うことができない。これに対して、本発明の実施の形態に係る水虫治療器１のように本体部３の中央部９を括れ形状とした場合には、指の側面の水虫の治療時、隣り合う指との衝撃や摩擦を回避することができ、安全且つ容易に足の指の水虫の治療を行うことができる。
【００４４】
なお、上記した本発明の実施の形態に係る水虫治療器１はハンマー形状を有しているが、水虫は足のあらゆる部位に発症するので、このハンマー形状が、すべての部位の水虫に最適な形状という訳ではない。すなわち、本発明をハンマー形状のものに限定する趣旨ではなく、本発明は、適宜、水虫の感染部位の皮膚の形状に合致させた形状のものを含んでいる。たとえば、足の指と指の間にできた底辺部の水虫の治療においては、曲線状かつ平板な本体部の表面に突起部を形成したものを患部に押し当てることが好ましく、足の指の付け根の扇形の皮膚にできた水虫の治療においては、非常に小規模な器具で、金属製の柄の先端に極小かつ縦長の三角形を形成する金属製の本体部の表面に突起部を形成したものを患部に押し当てることが好ましい。また、足の側面の骨の隆起が著しい皮膚にできた水虫の治療には、骨の隆起が著しく、そこの部分の皮膚の表面が平面ではないので、突起部を形成させる押圧部の端面を平面にすると、隆起した骨の部分に当たり好ましくない。また、その上を覆う特殊な隆起した皮膚の水虫に対しては、針のように丈が長めの棒状に近い突起部を備える形状のものが好ましい。
【００４５】
また、上記した本発明の実施の形態の説明は本発明に係る水虫治療器具１における好適な実施の形態を説明しているため、材質、形状、数量、位置等において、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素との置き換えが可能であり、かつ他の既存の構成要素との組み合わせを含む様々なバリエーションが可能であり、上記した本発明の実施の形態を持って、特許請求の範囲に記載された発明の内容を限定するものではない。
【符号の説明】
【００４６】
１    水虫治療器具
２    柄
３    本体部
５    押圧部
６    握り部
７    突起部
７ａ  外周部分の突起部
９    中央部
【図１】
2016000070.tif 000003
【図２】
2016000070.tif 000004
【図３】
2016000070.tif 000005
【図４】
2016000070.tif 000006